(57)【特許請求の範囲】
【請求項１】
バージョン情報を表すデータ構造において、
記録媒体のバージョンを指示する前記バージョン情報は、実際のバージョン情報と互換性バージョン情報を含み、前記実際のバージョン情報は“Ｘ１．Ｙ１”で表されるとともに前記互換性バージョン情報では指示されない上位バージョンを指示し、前記実際のバージョン情報は一つの情報バイトで表され、前記実際のバージョン情報のビット数は前記互換性バージョン情報のビット数より大きいことを特徴とするデータ構造。
【請求項２】
前記バージョン情報は前記記録媒体と前記データの記録／再生用のドライブとの互換性を判定するのに使用可能であることを特徴とする請求項１記載のデータ構造。
【請求項３】
記録媒体のバージョンを指示するバージョン情報を格納する特定の領域を備え、
前記バージョン情報は実際のバージョン情報と互換性バージョン情報を含み、前記実際のバージョン情報は“Ｘ１．Ｙ１”で表されるとともに前記互換性バージョン情報では指示されない上位バージョンを指示し、前記実際のバージョン情報は一つの情報バイトで表され、前記実際のバージョン情報のビット数は前記互換性バージョン情報のビット数より大きいことを特徴とする記録媒体。
【請求項４】
前記実際のバージョン情報は前記互換性バージョン情報とは異なるバイト位置に格納されることを特徴とする請求項３に記載の記録媒体。
【請求項５】
前記バージョン情報は前記記録媒体と前記データの記録／再生用のドライブとの互換性を判定するのに使用可能であることを特徴とする請求項３に記載の記録媒体。
【請求項６】
前記互換性バージョン情報は、前記実際のバージョン情報より優先して前記記録媒体の互換性について判定されることを特徴とする請求項３に記載の記録媒体。
【発明の詳細な説明】
【技術分野】
【０００１】
本発明は、光ディスクのような情報記録媒体に係り、特に、情報記録媒体上にディスクバージョン情報を記録する方法と、これを用いた記録再生方法及び記録再生装置に係る。
【背景技術】
【０００２】
一般に、情報記録媒体として大容量のデータが記録可能な光ディスクが広く使用されている。近来では、高画質のビデオデータと高音質のオーディオデータを長時間書き込むことができる次世代の高密度光記録媒体（ＨＤ−ＤＶＤ）として、例えば、ブルーレイディスクを開発するための多く努力がなされている。
【０００３】
次世代ＨＤ−ＤＶＤ技術であるブルーレイディスク（ＢＤ）は、既存のＤＶＤを遥かに超える大容量のデータを書き込むことができる光記録ソリューションであって、近来、これに対する世界標準の技術規格が確立されつつある。
【０００４】
ブルーレイディスク（ＢＤ）に係る各種の標準案が設けられており、書き換え可能な１倍速ブルーレイディスク（ＢＤ−ＲＥ）に続いて書き換え可能な高速度（２倍速以上）ブルーレイディスク（ＢＤ−ＲＥ）、１回だけ書き込み可能なブルーレイディスク（ＢＤ−Ｒ）、再生専用ブルーレイディスク（ＢＤ−ＲＯＭ）に対する各種の標準案が設けられている。
【０００５】
同系列のブルーレイディスク（ＢＤ）であっても、技術の発展に合わせて規格化された内容がバージョンアップされつつある。一例として、書き換え可能な１倍速ブルーレイディスク（ＢＤ−ＲＥ）から２倍速（またはそれ以上）ブルーレイディスク（ＢＤ−ＲＥ）といったようにディスクの規格が拡張されつつある。従って、拡張される規格内容をディスクバージョン情報として管理する必要がある。
【０００６】
図１は、従来のＤＶＤにおけるディスクバージョン情報を表す方法を説明する図で、ディスクの管理領域内に４ビットを割り当ててバージョン情報を表していた。バージョンが追加される度に新規のビットを割り当ててバージョンを表していた。
【０００７】
しかし、ディスクバージョン情報は装置内にロードされたディスクの記録や再生の可否を判断する重要な情報である。したがって、より統一的で拡張可能な方法で記録しておく必要がある。最近規格化が論議されているＢＤ−ＲＥ、ＢＤ−Ｒ、ＢＤ−ＲＯＭの場合、ディスクバージョン情報を記録する方法についても論議されている。規格化された情報として提供されて始めて相互間の互換性が確保できるようになるため、高密度光ディスク上へのディスクバージョン情報を記録するための効率的な対応案の確立が切実に要求されている。
【発明の開示】
【発明が解決しようとする課題】
【０００８】
本発明は、上述した従来技術の問題点を解決するためになされたものであって、その目的は、規格化された情報としてディスクバージョン情報を記録する方法を提供し、特に、記録されたディスクバージョン情報から光ディスクの効率的な記録再生方法を提供することである。
【０００９】
本発明の他の目的は、ディスクバージョン情報を構成する新規のデータ構造について定義することである。
【００１０】
本発明のまた他の目的は、その定義されたディスクバージョン情報を特定のディスク管理領域に規格化された方法で記録することにより、同系列のディスク同士の互換性を提供することである。
【００１１】
本発明の更なる目的は、ディスク内に記録されたディスクバージョン情報を用いて光ディスクに実際のデータを記録再生する記録再生方法及び記録再生装置を提供することである。
【課題を解決するための手段】
【００１２】
前記目的を達成するために本発明は、バージョン情報を表すデータ構造において、記録媒体のバージョンを指示する前記バージョン情報は、実際のバージョン情報と互換性バージョン情報からなり、実際のバージョン情報は“Ｘ１．Ｙ１”で表されるとともに互換性バージョン情報では指示されない上位バージョンを指示し、実際のバージョン情報は実際のバージョンを指示し、互換性バージョン情報は互換性バージョンを指示することを特徴とする。
【００１３】
この場合、互換性バージョン情報は“Ｘ２．Ｙ２”で表されることを特徴とする。
また、実際のバージョン情報は互換性バージョン情報の“Ｘ２”と等しいか又は上位であり、実際のバージョン情報の“Ｘ１．Ｙ１”は互換性バージョン情報の“Ｘ２．Ｙ２”より上位であることを特徴とする。
【００１４】
また、前記バージョン情報は記録媒体とデータの記録／再生用のドライブとの互換性を判定するのに使用可能であることを特徴とする。
【００１５】
また、本発明は、記録媒体にバージョン情報を記録する方法であって、この方法は、記録媒体のバージョンを指示するバージョン情報を識別するステップと、記録媒体の特定の領域に前記バージョン情報を記録するステップとを有し、前記バージョン情報は、実際のバージョン情報と互換性バージョン情報からなり、実際のバージョン情報は“Ｘ１．Ｙ１”で表されるとともに互換性バージョン情報では指示されない上位バージョンを指示し、実際のバージョン情報は実際のバージョンを指示し、互換性バージョン情報は互換性バージョンを指示することを特徴とする。
【００１６】
この場合、前記バージョン情報および記録媒体に／からデータを記録／再生することに基づいて  記録媒体とデータの記録／再生用のドライブとの互換性を判定するステップをさらに有することを特徴とする。  
また、互換性バージョン情報は“Ｘ２．Ｙ２”で表されることを特徴とする。
【００１７】
また、実際のバージョン情報は互換性バージョン情報の“Ｘ２”と等しいか又は上位であり、実際のバージョン情報の“Ｘ１．Ｙ１”は互換性バージョン情報の“Ｘ２．Ｙ２”より上位であることを特徴とする。
【００１８】
また、本発明は、記録媒体のバージョンを指示するバージョン情報を格納する特定の領域を備え、前記バージョン情報は実際のバージョン情報と互換性バージョン情報からなり、実際のバージョン情報は“Ｘ１．Ｙ１”で表されるとともに互換性バージョン情報では指示されない上位バージョンを指示し、実際のバージョン情報は実際のバージョンを指示し、互換性バージョン情報は互換性バージョンを指示することを特徴とする。
【００１９】
この場合、互換性バージョン情報は実際のバージョン情報より優先して記録媒体の互換性について判定されることを特徴とする。
また、互換性バージョン情報は“Ｘ２．Ｙ２”で表されることを特徴とする。
【００２０】
また、実際のバージョン情報は互換性バージョン情報の“Ｘ２”と等しいか又は上位であり、実際のバージョン情報の“Ｘ１．Ｙ１”は互換性バージョン情報の“Ｘ２．Ｙ２”より上位であることを特徴とする。
【００２１】
また、実際のバージョン情報は互換性バージョン情報とは異なるバイト位置に格納されることを特徴とする。
【００２２】
また、前記バージョン情報は記録媒体とデータの記録／再生用のドライブとの互換性を判定するのに使用可能であることを特徴とする。
【００２３】
また、互換性バージョン情報は、実際のバージョン情報より優先して記録媒体の互換性について判定されることを特徴とする。
【００２４】
また、本発明は、記録媒体に／からデータを記録／再生する装置であって、記録媒体の特定の領域に、記録媒体のバージョンを指示するバージョン情報を記録するように構成されたピックアップ部と、ピックアップ部に動作可能に連結され、記録媒体上のバージョン情報を記録するためにピックアップ部を制御するように構成されたコントローラと備え、前記バージョン情報は実際のバージョン情報と互換性バージョン情報からなり、実際のバージョン情報は“Ｘ１．Ｙ１”で表されるとともに互換性バージョン情報では指示されない上位バージョンを指示し、実際のバージョン情報は実際のバージョンを指示し、互換性バージョン情報は互換性バージョンを指示することを特徴とする。
【００２５】
この場合、コントローラは記録媒体とデータ記録／再生用のドライブ間の互換性を、前記バージョン情報に基づいて判定し、前記判定された互換性に従って記録媒体に／からデータを記録／再生するようにピックアップ部を制御するように構成されることを特徴とする。
また、互換性バージョン情報は“Ｘ２．Ｙ２”で表されることを特徴とする。
【００２６】
また、実際のバージョン情報は互換性バージョン情報の“Ｘ２”と等しいか又は上位であり、実際のバージョン情報の“Ｘ１．Ｙ１”は互換性バージョン情報の“Ｘ２．Ｙ２”より上位であることを特徴とする。
【００２７】
また、互換性バージョン情報は実際のバージョン情報より優先して記録媒体の互換性について判定されることを特徴とする。
【発明の効果】
【００２８】
以上説明したように本発明によれば、高密度光ディスク上にディスクバージョン情報を含むディスク情報、特に、少なくとも二つのバージョン情報を用いてディスクバージョン情報を記録する各種の方法を提示し、この結果、規格化されたディスク情報を統一的に適用することができ、光ディスクの記録再生に効率よく対応できるという長所を有する。
【発明を実施するための最良の形態】
【００２９】
以下、本発明に係る光ディスクのディスクバージョン情報の記録方法及び光ディスクの記録再生方法に対する好適な実施の形態を、添付した図面を参照して詳細に説明する。なお、可能な限り図面中の同一の機能及び構成要素については同一の参照符号を付する。
【００３０】
本発明で使用される用語は、可能な限り広く使用される一般の用語を選択したが、特定の場合は、出願人が任意に選定した用語もあり、この場合は、発明の詳細な説明における該当する部分において詳細にその意味を記載したので、単なる用語の名称自体ではない用語がもつ意味で本発明を把握すべきである。
【００３１】
また、説明の便宜上、光ディスクは、ブルーレイディスク（ＢＤ）の場合を例に挙げて説明するが、ブルーレイディスク（ＢＤ）の他にも、本発明の概念的特徴は、ディスクバージョン情報が更新される光ディスクである、例えば、ＤＶＤ−ＲＡＭ／−ＲＷ／＋ＲＷなどにも同様に適用できることは自明である。
【００３２】
本発明は、ディスクバージョン情報を記録する方法に係り、以下、本発明で新規に定義されるディスクバージョン情報について説明し、ディスクバージョン情報を記録する方法について詳細に説明する。
【００３３】
“ディスクバージョン情報”とは、同系列のディスクにおいて技術の発展に伴って新規の規格事項が追加される度にディスクバージョンを新たに決め、ディスク製作者が当該ディスクが如何なるバージョンにより製作されたディスクであるかをディスク内の特定領域に記録しておく情報であり、当該ディスクを記録再生する記録再生装置（図１０）がディスク内に記録されたそのディスクバージョン情報を記録再生の際に参照するようにするためのものである。
【００３４】
本発明では、“ディスクバージョン情報”を構成する際に、次のような規則で構成する。即ち、ディスクバージョン情報を３部分に分け、第１バージョン番号は、ディスクの物理規格が変更され下位バージョンとは相互間の互換性、すなわち後方互換性が確保されていないことを表し、第２バージョン番号は、ディスクの物理規格に変更があったものの、第１バージョン番号が同一であれば相互間に互換性が保持されることを表し、第３バージョン番号は、ディスクの物理規格に変更がない場合で、規格書の編集だけを追加／変更したものであって相互間において常に互換性が保持されることを表している。
【００３５】
また、第１、２、３のバージョン番号を記述する方法は、例えば、あるディスクのバージョン情報を“Ｖａ.ｂｃ”と表すと、“ａ”は第１バージョン番号を意味し、“ｂ”は第２バージョン番号を意味し、“ｃ”は第３バージョン番号を意味するものと決める。従って、仮に、ディスクバージョン情報が“Ｖ１.００”であれば、第１バージョン番号が“１”で、第２、第３バージョン番号がいずれも“０”であることを示している。
【００３６】
この“Ｖ１.００”のディスクバージョンに対して新規のバージョンの規格事項が追加されると仮定すれば、その追加される規格事項が前の“Ｖ１.００”バージョンと互換性が保持されない新規の物理的規格であれば“Ｖ２.００”のようにバージョン情報を表す。一方、互換性が保持される新規の物理的規格であれば“Ｖ１.１０”のようにバージョン情報を表し、物理的規格事項の変動のない規格書の編集上の追加／変動であれば“Ｖ１.０１”のようにバージョン情報を表す。
【００３７】
ディスクバージョン情報をディスク内に記録するとき、第３バージョン番号は記録しなくてもよい。なぜならば、ディスクバージョン情報をディスク内に記録する理由が、ディスクの物理的規格の変更に伴って、記録再生装置（図１０）がそれに効率よく対応するためであり、第３バージョン番号は、物理的な規格の変更事項のない場合であるため、記録再生装置（図１０）が必ず参照しなければならない情報ではないためである。従って、本発明では、ディスクバージョン情報について、第１バージョン番号と、第２バージョン番号について主に説明するが、必要に応じて、第３バージョン番号を同一方式で記録できることは自明である。
【００３８】
即ち、本発明は、前記のようにディスクバージョン情報を少なくとも第１バージョン番号と第２バージョン番号に区分して定義し、その定義されたそれぞれの第１、２のバージョン番号を記録する領域を区分しておくことにより、ディスクバージョン情報を効率よく記録可能にし、ディスクバージョンの拡張に能動的に対応できるようにしたことが本発明の主な技術思想である。
【００３９】
図２と図３は、本発明に係る光ディスクの構造であって、特に、ディスクバージョン情報を含むディスク制御情報を記録する方法を説明するために示す図であり、本発明が適用される光ディスクは、記録可能な光ディスクのみならず、再生専用光ディスクにも同一に適用され得る。
【００４０】
関連して、前述したように、本発明は、説明の便宜上、ブルーレイディスク（ＢＤ）の場合を例に挙げて説明するが、ブルーレイディスク（ＢＤ）の他にも、ディスクバージョン情報が更新される光ディスクである、例えば、ＤＶＤ−ＲＡＭ／−ＲＷ／＋ＲＷなどにも同様に適用可能であることは自明である。
【００４１】
また、本発明においてディスクバージョン情報を含む“ディスク制御情報”とは、ディスクの記録再生のための各種の情報を含む領域または情報を意味し、例えば、ブルーレイディスク（ＢＤ）では、これを“ディスク情報（Disc Information）”と称しており、ＤＶＤ−ＲＡＭ／−ＲＷ／＋ＲＷでは、これを“物理フォーマット情報(physical format information)”と称している。以下、説明の便宜のために本発明では、ブルーレイディスク（ＤＢ）の場合に当たる“ディスク情報（ＤＩ）”として説明する。
【００４２】
図２は、本発明の光ディスクの構造であって記録層が一つである記録可能な単層構造のものを示しており、本発明のディスクバージョン情報を含むディスク情報（ＤＩ）のディスク内での記録位置を説明するための図である。
【００４３】
図２において、本発明の光ディスクは、その内周と外周領域に管理領域としてリードインとリードアウト領域が備えられており、特に、ディスクの内周領域には、事前記録領域と再記録可能な領域とに区分されている。事前記録領域とは、ディスクの製作時に予め記録する領域であって、ユーザーまたはシステムによる更なる記録が不可能な領域である。特に、ＢＤ−ＲＥ／ＷＯでは、この事前記録領域をＰＩＣ（Permanent Information & Control data）と称している。このＰＩＣ領域には、ディスクの記録などに必要な情報であるディスク情報（ＤＩ）が記録されている。データ領域には、ユーザーの実際のデータが記録されるユーザーデータ領域と欠陥領域の発生時にこれに対処するためのスペア領域（ＩＳＡ、ＯＳＡ）がそれぞれ備えられており、特に、ＢＤ−ＷＯのような１回だけ記録可能な光ディスクでは、ディスクの欠陥管理、一般管理のための情報を記録するＴＤＭＡ（Temporary Defect Management Area）が管理領域内に設けられている。書き換え可能なＢＤ−ＲＥの場合、ＴＤＭＡは不要な領域であるため予備領域として残しておく。
【００４４】
本発明は、事前記録領域にディスク情報としてディスクの記録再生に必要な速度情報及び記録関連情報（Write Strategy；ＷＳ）の記録とともに、本発明のディスクバージョン情報を効率よく記録する方法を提示する。
【００４５】
規格化されたディスクの種類毎に事前記録領域への記録方式が相違していることは当然である。ＢＤ−ＲＥ／ＷＯの場合、事前記録領域のＰＩＣ領域には、２位相高周波変調された信号で記録しておき、当該領域の高周波変調された信号を特定の再生方式によって再生し、これにより情報を取得している。
【００４６】
図３は、図２に示すディスク構造におけるＰＩＣ領域の構造を簡略に示す図である。これは、前述したように高周波変調されたＰＩＣ領域内の情報を全て取得した時、図３に示すような構造に情報を並び替えできるということを意味し、物理的にＰＩＣ領域が図３に示すように記録されているということではない。
【００４７】
ＢＤ−ＲＥ／ＷＯでは、最小記録単位を“１クラスタ（cluster）”とし、ＰＩＣ領域は、５４４クラスタが集まって一つの上位記録単位としてのフラグメントを形成し、五つのフラグメントが集まってＰＩＣ領域を形成している。
【００４８】
第１のフラグメント（ＩＦＯ）の先頭クラスタにはディスク情報が記録されている。ディスク情報は、当該光ディスクの許容可能な記録層と速度ごとに複数に記録され、一つのディスク情報は１１２バイトで構成されている。１１２バイトから構成されたディスク情報を、特にディスク情報フレーム（ＤＩ ｆｒａｍｅ）ともいう。また、残りのフラグメントの先頭クラスタにも同内容のディスク情報を繰り返して記録しておくことにより、ディスク情報の損失に対応できるようにした。
【００４９】
記録可能な光ディスク内のそれぞれのディスク情報内には、当該記録層と速度を表す情報やその記録層と速度に対応する記録関連情報（ＷＳ）が、ディスクバージョン情報とともに記録されている。そのような情報が当該光ディスクの記録時や再生時に用いられ、効率的な記録再生が可能になる。
【００５０】
仮に、ＢＤ−ＲＯＭのような再生専用光ディスクであれば、ディスク情報内にディスクへの記録のための速度情報と記録関連情報（ＷＳ）が含まれないことは自明である。
【００５１】
以下、図４〜図１０を参照して、前記のようなディスク情報内にディスクバージョン情報を記録する方法に対する各種の例について詳細に説明する。
【００５２】
図４は、本発明に係る光ディスクのディスクバージョン情報を含むディスク情報を記録する一実施形態を示す図であって、ディスクバージョン情報を記録する領域が別に割り当てられている。
【００５３】
ディスク内には、少なくとも一つのディスク情報が記録され、それぞれのディスク情報の順番が１バイトによって記録された一連番号にしたがって決められる。
【００５４】
例えば、ディスク情報の第５番目のバイトにその順番情報を記録しておく。これを“ＤＩ ｆｒａｍｅ ｓｅｑｕｅｎｃｅ ｎｕｍｂｅｒ ｉｎ ＤＩ ｂｌｏｃｋ”フィールドと称する。簡略に“００ｈ、０１ｈ、０２ｈ....”によって表される。即ち、第５番目のバイトの情報が“００ｈ”であれば、最初のディスク情報であることを意味し、“０３ｈ”であれば、第４番目のディスク情報であることを意味する。
【００５５】
さらに、ディスク情報内の特定領域、例えば、第（Ｌ〜１１１）番目のバイトの“Ｗｒｉｔｅ ｓｔｒａｔｅｇｙ ｐａｒａｍｅｔｅｒｓ”フィールドと称した領域には、記録可能な光ディスクの場合に当該ディスク情報が意味する速度に連動する記録関連情報（ＷＳ）を記録しておき、また他の特定領域、例えば、第Ｎ番目のバイトの“Ｄｉｓｃ Ｖｅｒｓｉｏｎ”フィールドと称した領域には、ディスクバージョンに関する情報を記録しておく。
【００５６】
“Ｄｉｓｃ Ｖｅｒｓｉｏｎ”フィールドは２部分に区分されており、第１の４ビットには第１バージョン番号を記録し、第２の４ビットには第２バージョン番号を記録する領域として割り当てられている。従って、４ビットずつ割り当てられた第１、２のバージョン番号は、最大１５個までのバージョンを表すことができる。例えば、図４において“Ｖｘ.Ｆｘ”または“ＶＦ.ｘｘ”と表された場合における“Ｆ”値は、十進数の“１５”を意味する十六進数法的表現であり、“ｘ”は、当該バージョン情報は特定されていない値（“ｄｏｎ’ｔ ｃａｒｅ”ともいう）であることを意味する表現である。かかる表現方法は、後述する他の実施形態においても同様に適用される。
【００５７】
従って、仮に、第Ｎ番目のバイトの“Ｄｉｓｃ Ｖｅｒｓｉｏｎ”フィールドが“０１００ ００１０ｂ”であれば、第１バージョン番号は“４”になり、第２バージョン番号は“２”になるため、当該ディスクのバージョンは“Ｖ４.２ｘ”であることを意味する。
【００５８】
図５は、本発明に係る光ディスクのディスクバージョン情報を含むディスク情報を記録する他の実施形態に係り、現在に論議中の書き換え可能な１速度ブルーレイディスク（ＢＤ−ＲＥ）におけるディスク情報の記録方法との互換性を保持しつつディスクバージョン情報を記録する方法を示す図である。
【００５９】
ディスク情報の第１１番目のバイトを、ディスクサイズ情報とバージョン情報を記録する“Ｄｉｓｃ ｓｉｚｅ／ｖｅｒｓｉｏｎ”フィールドと称し、３つに区切られており、第１部分の２ビットがサイズ情報を記録し、第２部分の３ビットが第１バージョン番号を記録し、第３部分の３ビットが第２バージョン番号を記録している。
【００６０】
ディスクサイズ情報は、現在に論議中のブルーレイディスク（ＢＤ）は１２ｃｍしかないので、“００ｂ”であれば１２ｃｍの場合を意味し、残りは、今後規格として追加されるであろうディスクサイズのために予備領域として残しておく。例えば、８ｃｍディスクを規格化すれば、“０１ｂ”と定義できる。ディスクバージョン情報は、計６ビットを第１バージョン番号と第２バージョン番号のそれぞれに３ビットずつ割り当て、それぞれのバージョン番号を最大７個まで表すことができるようにした。
【００６１】
従って、仮に、第１１番目のバイトが“００ ００１ ０１０ｂ”であれば、ディスクサイズが１２ｃｍで、第１バージョン番号が“１”で、第２バージョン番号が“２”であるので、当該ディスクのバージョンが“Ｖ１.２ｘ”であることを意味する。
【００６２】
図６は、本発明に係る光ディスクのディスクバージョン情報を含むディスク情報を記録する他の実施形態に係り、図５と同様に現在論議中の書き換え可能な１速度ブルーレイディスク（ＢＤ−ＲＥ）におけるディスク情報の記録方法と互換性を保持しつつディスクバージョン情報を記録する他の方法を示す図である。
【００６３】
図６の実施形態は、図５とは異なって、第２バージョン番号に４ビットを割り当て、第１バージョン番号に２ビットを割り当てている。これは、第２バージョン番号に物理的規格変更があっても、第１バージョン番号が同一であれば相互間の互換性が保持される場合であって、第１バージョン番号より第２バージョン番号の方がバージョンの変更が発生する可能性が高いため、第２バージョン番号により多くのビットを割り当てようとしたものである。
【００６４】
仮に、物理的規格変更があっても、第１バージョン番号が同一であり、第２バージョン番号だけが変更される場合であれば、ディスク同士では互換性が保持される。例えば、ディスクバージョン情報が、それぞれＶ２.２とＶ２.１のディスクがあるとすれば、両ディスク同士では第２バージョン番号だけが相違し、第１バージョン番号は同一であるため相互間の互換性が保持される。仮に、ディスクバージョン情報が、それぞれＶ１.１とＶ２.１のディスクがあるとすれば、両ディスク同士では、第２バージョン番号は同一であるが、第１バージョン番号が相違しているため、相互間の互換性が保持されない。
【００６５】
前記場合は、実際のディスクとドライブ（記録再生装置の一種）との間にも適用される。例えば、ディスクバージョンがＶ２.ｘのディスクが、Ｖ１.ｘのディスクが制御可能な旧ドライブにロードされると、そのドライブは、Ｖ２.ｘディスクを制御できる如何なるハードウェアやソフトウェアも備えていないため、ロードされたＶ２.ｘディスクへの記録再生のためのアクセスができなくなる。これに対し、ディスクバージョンがＶｘ.３のディスクが、Ｖｘ.２のディスクが制御可能な旧ドライブにロードされる場合、そのドライブとロードされたディスクとは、同じ第１バージョン番号を有するため記録再生が可能になる。
【００６６】
従って、仮に、第１１番目のバイトが“００ １０ ００１１ｂ”であれば、ディスクサイズが１２ｃｍで、第１バージョン番号は“２”で、第２バージョン番号は“３”であるため、当該ディスクのバージョンが“Ｖ２.３ｘ”であることになる。
【００６７】
図７は、本発明に係る光ディスクのディスクバージョン情報を含むディスク情報を記録するさらに他の実施形態に係り、図５、図６と同様に現在に論議中の書き換え可能な１速度ブルーレイディスク（ＢＤ−ＲＥ）におけるディスク情報の記録方法との互換性を保持しつつディスクバージョン情報を記録するさらに他の方法を示す図である。
【００６８】
図７の実施形態は、図５、図６とは異なって、第１バージョン番号とディスクサイズ情報とが第１１番目のバイトに共に記録され、第２バージョン番号を別の予備領域（第Ｎ番目のバイト）に１バイトを割り当てた。これは、第２バージョン番号は、前述したように第１バージョン番号よりバージョンの変更が発生する可能性が高いため、より多くのビットを割り当てようとしたことと、現在に論議中のディスク情報内に予備領域が多数あるという点を考慮したのためである。逆に、第１１番目のバイトに第２バージョン番号を記録し、第Ｎ番目のバイトに第１バージョン番号を記録することも可能である。
【００６９】
従って、仮に、第１１番目のバイトが“００ ００００１０ｂ”であり、第Ｎ番目のバイトが“００００ ０１００ｂ”であれば、第１１番目のバイトからディスクサイズは１２ｃｍであり、第１バージョン番号は“２”であり、第Ｎ番目のバイトから第２バージョン番号は“４”であるため、当該ディスクのバージョンが“Ｖ２.４ｘ”であることになる。
【００７０】
図８は、本発明に係る光ディスクのディスクバージョン情報を利用したディスク情報を記録するさらに他の実施形態に係り、本実施形態のバージョン情報は、ディスク規格バージョン情報を意味するのではなく、記録速度のバージョン情報を意味することを特徴とする。
【００７１】
即ち、ディスク情報内に記録される記録速度バージョン情報を、既存の記録速度から拡張された記録速度を前述したディスクバージョン情報と同様の方式で表している。例えば、ディスク情報内の特定領域、例えば、第Ｌ〜１１１番目のバイトの“Ｗｒｉｔｅ ｓｔｒａｔｅｇｙ ｐａｒａｍｅｔｅｒｓ”フィールドと称した領域に、記録可能な光ディスクの場合に当該ディスク情報が意味する速度に連動する記録関連情報（ＷＳ）を記録しておき、他の特定領域、例えば、第Ｎ番目のバイトの“Ｒｅｃｏｒｄｉｎｇ ｓｐｅｅｄ ｖｅｒｓｉｏｎ”フィールドと称した領域に、ディスク速度バージョンに関する情報を記録しておく。
【００７２】
“Ｒｅｃｏｒｄｉｎｇ ｓｐｅｅｄ ｖｅｒｓｉｏｎ”フィールドを２部分に区分し、第１部分の４ビットに第１バージョン番号を記録し、第２部分の４ビットに第２バージョン番号を記録する領域として割り当てる。従って、４ビットずつ割り当てられた第１、２のバージョン番号は、最大１５個までのバージョンを表すことができる。
【００７３】
従って、仮に、第Ｎ番目のバイトの“Ｒｅｃｏｒｄｉｎｇ ｓｐｅｅｄ ｖｅｒｓｉｏｎ”フィールドが“０１００ ００１０ｂ”であれば、第１バージョン番号は“４”で、第２バージョン番号は“２”であるため、当該ディスクのバージョンは“Ｖ４.２ｘ”である。
【００７４】
従って、記録速度バージョン値は、二進数によって実際の記録速度を表している。第Ｌ〜１１１番目のバイトはディスクに適用される各記録速度のためのＷｒｉｔｅ ｓｔｒａｔｅｇｙ ｐａｒａｍｅｔｅｒｓを含む。
【００７５】
図９は、本発明に係る光ディスクのディスクバージョン情報を利用したディスク情報を記録するさらに他の実施形態に係り、前述したディスクバージョン情報に更に従来のバージョンとの互換性の可否を表したことを特徴とする。
【００７６】
即ち、図９の実施形態は、２種のバージョン情報がディスク情報内に記録されている。第１バージョン番号は、現ディスクの実際のディスクバージョン情報であり、第Ｎ番目のバイトの“ａｃｔｕａｌ ｄｉｓｃ ｖｅｒｓｉｏｎ ｉｎｆｏ”フィールドに記録されるバージョン情報である。本フィールドへの具体的な記録方式は、図４の場合と同一であるため、詳細は省略する。
【００７７】
また、第２バージョン番号は、現ディスクと互換可能な下位バージョン情報であり、例えば、第１１番目のバイトの“ｃｏｍｐａｔｉｂｌｅ ｄｉｓｃ ｖｅｒｓｉｏｎ ｉｎｆｏ”フィールドに記録される。本実施形態では、そのフィールドに６ビットが割り当てられ、特定の値で互換可能なバージョンの情報を表すようになっている。また、他の割り当て方法として、例えば、図１に示すように４ビットを第２バージョン番号として割り当てることも可能である。
【００７８】
従って、仮に、第１１番目のバイトが“００ ００００１０ｂ”であり、第Ｎ番目のバイトが“００１０ ００１０ｂ”であれば、第１１番目のバイトからディスクサイズは１２ｃｍであり、互換可能なバージョン情報は“Ｖｅｒｓｉｏｎ ２”（これは、規格から特定のバージョン値が決められることを意味し、Ｖ２.ｘｘを意味するのではない）で、第Ｎ番目のバイトから実際のディスクバージョン情報は、“Ｖ２.２ｘ”であることを意味する。
【００７９】
従って、ディスク情報内のディスクバージョン情報から現ディスクの実際のバージョン情報のみならず、互換可能なバージョン情報まで読み出すことが可能になるという長所がある。
【００８０】
この実施形態のようにディスクバージョン情報を記録する理由は、記録再生装置（図１０）がロードされたディスクのバージョンを的確に読み出し、読み出したバージョンのディスクを記録再生可能であるか否かを判断しようとすることが主な理由である。以下、本発明のディスクバージョン情報を用いた光ディスクの記録再生方法及び記録再生装置について、詳細に説明する。
【００８１】
図１０は、本発明が適用される光ディスクの記録再生装置である。記録再生装置は、光ディスクへの記録再生を行う記録再生部１０と、これを制御する制御部２０を備えている。制御部２０は、記録再生部１０に特定領域への記録または再生コマンドを与え、記録再生部１０は、制御部２０からのコマンドに従って特定領域への記録再生を行う。
【００８２】
記録再生部１０は、具体的には、外部と通信を行うインタフェース部１２と、光ディスクにデータを記録したり再生するピックアップ部１１と、ピックアップ部１１から再生信号を受信し所望の信号値に復元したり、記録すべき信号を光ディスクに記録できる信号に変調して伝えるデータプロセッサ１３と、光ディスクから的確に信号を読み出したり、光ディスクに信号を的確に記録するためにピックアップ部１１を制御するサーボ部１４と、ディスクバージョン情報を含むディスク制御情報を一時的に記憶するメモリ１５と、記録再生部１０の構成要素を制御するマイクロコンピュータ１６とを備えている。
【００８３】
さらに、記録再生装置とは別に記録再生部１０を介して再生した信号をディスプレイしたり、制御部２０を介して最終ユーザーに情報を提供するディスプレイ装置３０を含んでいても良い。
【００８４】
本発明に係る光ディスクの記録再生過程について詳細に説明すれば、次の通りである。  まず、光ディスクを記録再生装置内にロードすると、ディスク内に記録されたディスク制御情報が読み出されて記録再生部内のメモリ１５に一時的に記憶される。これらの制御情報は、光ディスクへの記録再生時に利用される。特に、メモリに記憶される制御情報には、本発明のディスクバージョン情報を含むディスク情報も含んでおり、従って、ディスク情報内に記録された第１バージョン番号と第２バージョン番号も読み出される。
【００８５】
従って、仮に、記録再生装置の記録可能なディスクバージョンが“Ｖ１.ｘｘ”であるとする。記録再生部１０内のマイクロコンピュータ１６は、ロードされたディスクから読み出されたディスクバージョン情報のうちの第１バージョン番号が“１”であれば、当該ディスクが記録再生可能であると判断し、これを制御部２０に通報し、制御部２０は、ユーザーの指示により正常な記録再生コマンドを記録再生部１０に伝える。しかし、ロードされたディスクから前記読み出されたディスクバージョン情報のうちの第１バージョン番号が“２”以上である場合は、当該ディスクが記録再生不可能であると判断し、この判断結果を制御部２０に通報し、制御部２０は、必要に応じてディスプレイ装置３０を介してユーザーに記録再生が不可能である旨の案内メッセージを通報する。
【００８６】
この時、第２バージョン番号は相違していても原則的には記録再生は可能であるが、上位の第２バージョン番号の記録再生装置であれば一部の機能においては支援できないこともあり、このようなことが発生する際も制御部２０を介してユーザーに一部機能の支援が不可能である旨の案内メッセージを通報することができる。例えば、記録再生装置の記録可能なディスクバージョンが“Ｖ１.１ｘ”であり、ロードされたディスクから前記読み出されたディスクバージョン情報が“Ｖ１.３ｘ”であれば、第１バージョン番号が“１”と同一であるので記録再生は可能であるものの、ロードされたディスクの場合、第２バージョン番号が“３”であるため記録再生装置が支援する第２バージョン番号“１”に比べて下位バージョンに当たり、記録再生装置の有する一部機能を使用することができない場合も発生し得る。
【００８７】
従って、前記のように記録再生装置内のマイクロコンピュータ１６は、ロードされたディスク内に記録された第１バージョン番号と第２バージョン番号を自分のバージョン情報と比較し、記録再生可能の有無または一部機能の支援可能の有無を決め、その結果を、制御部や最終ユーザーに伝えることができ、効率的な光ディスクの記録再生が可能になる。
【００８８】
以上、前述した本発明の好適な実施形態は、例示の目的のために開示したものであるに過ぎず、当業者であれば本発明の特許請求の範囲に開示された本発明の技術的思想とその技術的範囲内で種々の他の実施形態として改良、変更、代替などが可能なはずである。
【図面の簡単な説明】
【００８９】
【図１】従来のディスクバージョン情報を記録する方法を示す図である。
【図２】本発明が適用される単層ディスク構造を示す図である。
【図３】本発明のディスクバージョン情報が記録される管理領域の構造を示す図である。
【図４】本発明に係るディスクバージョン情報を含むディスク制御情報を記録する一実施形態を示す図である。
【図５】本発明に係るディスクバージョン情報を含むディスク制御情報を記録する他の実施形態を示す図である。
【図６】本発明に係るディスクバージョン情報を含むディスク制御情報を記録するさらに他の実施形態を示す図である。
【図７】本発明に係るディスクバージョン情報を含むディスク制御情報を記録するさらに他の実施形態を示す図である。
【図８】本発明に係るディスクバージョン情報を利用したディスク制御情報を記録する更なる実施形態を示す図である。
【図９】本発明に係るディスクバージョン情報を利用したディスク制御情報を記録する更なる実施形態を示す図である。
【図１０】本発明に適用可能な光ディスクの記録再生装置を示す図である。
【図１】
0004880460.tif 000002
【図２】
0004880460.tif 000003
【図３】
0004880460.tif 000004
【図４】
0004880460.tif 000005
【図５】
0004880460.tif 000006
【図６】
0004880460.tif 000007
【図７】
0004880460.tif 000008
【図８】
0004880460.tif 000009
【図９】
0004880460.tif 000010
【図１０】
0004880460.tif 000011